(57)【要約】      （修正有）【課題】棚板を有する収納具において、追加のコストや作業を発生させることなく、安定して衣類を掛けるために用いることができる衣類のハンガーを提供する。【解決手段】棚板ハンガー１は、衣類を掛ける衣類掛け部１０と、衣類掛け部の上部に設けられ、衣類掛け部を吊り下げ支持する支持部２０とを備える。支持部は、棚板の縁部の厚みに対応する略コの字形状の棚板挟持部２２を有する。【選択図】図１
0003234573.tif 000002
【実用新案登録請求の範囲】
【請求項１】
棚板の縁部に取り付けて用いられる棚板ハンガーであって、
衣類を掛ける衣類掛け部と、
前記衣類掛け部の上部に設けられ、前記衣類掛け部を吊り下げ支持する支持部と
を備え、
前記支持部が、棚板の縁部の厚みに対応する略コの字形状の棚板挟持部を有する
棚板ハンガー。
【請求項２】
前記棚板挟持部は、棚板の縁部を挟んだときに棚板の下面に接する下面横板と、棚板の上面に接する上面横板と、前記下面横板と前記上面横板とを連結し、棚板の端面に対応する位置に配される縦板とを有する、
請求項１に記載の棚板ハンガー。
【請求項３】
前記下面横板と前記上面横板との間の間隔は、略コの字形状の開放部側に向かって次第に狭くなるように形成されている、
請求項２に記載の棚板ハンガー。
【請求項４】
前記上面横板は、略コの字形状の開放部側に向かってテーパーが設けられている、
請求項２又は請求項３に記載の棚板ハンガー。
【請求項５】
前記縦板は、外方に突出するように設けられたリブを有する、
請求項２から請求項４のいずれか１項に記載の棚板ハンガー。
【請求項６】
前記支持部は、前記棚板挟持部と前記衣類掛け部とを連結するシャフトを有し、
前記シャフトは、前記棚板ハンガーが棚板の縁部に取り付けられたときに、前記衣類掛け部に掛けられた衣類が棚板の下面に接触しない長さを有する、
請求項１から請求項５までのいずれか１項に記載の棚板ハンガー。
【考案の詳細な説明】
【技術分野】
【０００１】
本考案は、衣類等を掛けるためのハンガーに関する。
【背景技術】
【０００２】
洗濯後の衣類は、衣類ハンガーに掛けて乾燥させることが多い。従来の衣類ハンガーは、一般に、衣類を掛けるための略三角形の本体と、本体を吊り下げる吊りフックとを備える。吊りフックは、断面円形のポールに掛けて用いることが想定されているため、このようなポールに対応するように、一部に切り欠きを有する略Ｃ字形状に形成されている。
【先行技術文献】
【特許文献】
【０００３】
【特許文献１】特開２０１０−７５２４０号公報
【考案の概要】
【考案が解決しようとする課題】
【０００４】
略Ｃ字形状の吊りフックを有する従来の衣類ハンガーを、棚板を有するロッカーなどの収納具で利用するためには、吊りフックの略Ｃ字形状の内形に合った断面円形のポールを棚板の下に設置する必要がある。こうしたポールを設置すると、追加のコストや作業が発生する。
【０００５】
また、従来の衣類ハンガーは、吊りフックの切り欠きから略Ｃ字形状の内部に棚板の縁部を挿入し、切り欠きの上側に位置する部分（Ｃ字形状の上側の端部）を棚板の上面に当てることによって、棚板に掛けて用いることもできる。しかし、このような状態で用いると衣類ハンガーが吊りフックの一点で保持されることになるため、衣類ハンガー全体が揺れて安定せず、本体に掛けられた衣類がずれたり、軽い衝撃でも衣類ハンガーそのものが棚板からはずれて落下したりするおそれがある。
【０００６】
固定物の縁辺に掛けて設置し、それに携帯可能な物品を掛けて使用される着脱自在なハンガーが、特許文献１に提案されている。しかし、このハンガーは、縁辺を挟み込んで取り付けられるものではないため、例えば物品が風をうけることによってハンガーが左右方向に回転する力をうけた場合になどには、不安定である。
【０００７】
上記の課題に鑑み、本考案は、棚板を有する収納具において、追加のコストや作業を発生させることなく、安定して衣類を掛けるために用いることができる衣類のハンガーを提供することを目的とする。
【課題を解決するための手段】
【０００８】
本考案は、棚板の縁部に取り付けて用いられる棚板ハンガーを提供する。本考案に係る棚板ハンガーは、衣類を掛ける衣類掛け部と、衣類掛け部の上部に設けられ、衣類掛け部を吊り下げ支持する支持部とを備える。支持部は、棚板の縁部の厚みに対応する略コの字形状の棚板挟持部を有する。
【０００９】
一実施形態においては、棚板挟持部は、下面横板と上面横板と縦板とを有することが好ましく、これらによって略コの字形状が形成される。下面横板は、棚板の縁部を挟んだときに棚板の下面に接する。上面横板は、棚板の縁部を挟んだときに棚板の上面に接する。縦板は、下面横板と上面横板とを連結するように設けられており、棚板の縁部を挟んだときに棚板の端面に対応する位置に配される。
【００１０】
一実施形態においては、棚板挟持部のコの字形状の内部空間、すなわち下面横板と上面横板との間の間隔は、略コの字形状の開放部側に向かって次第に狭くなるように形成されていることが好ましい。また、別の実施形態においては、上面横板は、略コの字形状の開放部側に向かってテーパーが設けられていることが好ましい。さらに別の実施形態においては、縦板には、コの字形状の内部空間側とは反対側に、外方に突出するようにリブが設けられることが好ましい。
【００１１】
一実施形態においては、支持部は、棚板挟持部と衣類掛け部とを連結するシャフトを有することが好ましく、このシャフトは、棚板ハンガーが棚板の縁部に取り付けられたときに、衣類掛け部に掛けられた衣類が棚板の下面に接触しない長さを有することが好ましい。
【考案の効果】
【００１２】
本考案によれば、棚板のみを有する収納空間において、ハンガーを掛けるためのポールを設置するなどといった追加のコストや手間を発生させることなく使用可能な棚板ハンガーを提供することができる。本考案に係る棚板ハンガーは、従来の衣類ハンガーの吊りフックとは異なり、棚板の縁部を挟む略コの字形状の棚板挟持部を設けることによって、安定的に衣類を掛けることが可能であり、耐荷重性に優れる。
【図面の簡単な説明】
【００１３】
【図１】本考案の一実施形態による棚板ハンガーの斜視図を示す。
【図２】本考案の一実施形態による棚板ハンガーの棚板挟持部に設けられたリブ部分の拡大斜視図を示す。
【図３】本考案の一実施形態による棚板ハンガーを棚板の縁部に取り付けた状態の斜視図を示す。
【考案を実施するための形態】
【００１４】
以下、図面を参照しながら本考案の実施形態を詳細に説明する。
【００１５】
図１は、本考案の一実施形態に係る棚板ハンガー１の斜視図を示す。棚板ハンガー１は、衣類を掛ける部分である略三角形状の衣類掛け部１０と、衣類掛け部１０の上部、好ましくは三角形の頂部から上方に突出するように設けられた、衣類掛け部１０を吊り下げ支持する支持部２０とを備える。図２は、支持部２０に設けられたリブ２２ｄの部分を拡大して示す拡大斜視図である。さらに、図３は、棚板ハンガー１を棚板Ｂの縁部ＢＥに取り付けた状態の斜視図を示す。
【００１６】
衣類掛け部１０は、三角形の頂部から斜め下方に向かって互いに逆方向に延びる２つの肩１１を有する。肩１１は、円形断面を有する直線状の棒状体であることが好ましいが、これに限定されるものではなく、例えば、断面が多角形の棒状体であってもよく、曲線状に形成されていてもよい。２つの肩１１の下端間には、水平に延びるズボン軸１２がわたされている。ズボン軸１２は、円形断面を有する直線状の棒状体であることが好ましいが、これに限定されるものではなく、例えば、断面が多角形の棒状体であってもよく、曲線状に形成されていてもよい。別の実施形態においては、ズボン軸１２を設けず、２つの肩１１のみで衣類掛け部１０を構成してもよい。ズボン軸１２を設けることによって、濡れて重量のある衣類を掛けたときでも、衣類掛け部１０の形状がたわむことなく安定するとともに、必要に応じてズボン軸１２に別の衣類を掛けることもできる。
【００１７】
２つの肩１１の各々には、その概ね中間部に、肩ひもを有する衣類の肩ひもを掛けるための肩ひも掛け１３が設けられることが好ましい。衣類掛け部１０は、主にその形状安定性を高める目的で、２つの肩１１の上部間にわたされた補強部１４をさらに有することが好ましい。
【００１８】
支持部２０は、衣類掛け部１０から上方に延びるシャフト２１と、シャフト２１の上端に設けられた棚板挟持部２２とを有する。シャフト２１は、衣類を衣類掛け部１０に掛けた状態で棚板ハンガー１を棚板Ｂに取り付けたときに、掛けられた衣類が棚板Ｂの下面に接触しない長さであればよく、好ましくは５ｃｍ程度である。シャフト２１は、円形の断面を有する直線状の棒状体であることが好ましいが、これに限定されるものではなく、例えば、断面が多角形の棒状体であってもよく、曲線状に形成されていてもよい。
【００１９】
シャフト２１の上端に設けられた棚板挟持部２２は、略コの字形状を有し、コの字の内部空間に棚板Ｂの縁部ＢＥを挿入することができるように形成されている。棚板挟持部２２は、下面横板２２ａと、下面横板２２ａの上方に配置された上面横板２２ｂと、下面横板２２ａと上面横板２２ｂとを連結する縦板２２ｃとによって構成される。
【００２０】
下面横板２２ａは、図３に示されるように、棚板挟持部２２で棚板Ｂの縁部ＢＥを挟んだときに、下面横板２２ａの上面が縁部ＢＥの下面に接するように配される。また、上面横板２２ｂは、棚板挟持部２２で縁部ＢＥを挟んだときに、上面横板２２ｂの下面が縁部ＢＥの上面に接するように配される。さらに、縦板２２ｃは、棚板挟持部２２で縁部ＢＥを挟んだときに、縁部ＢＥの端面に対応する位置、すなわち端面に接する位置又は端面からわずかに離れた位置に配される。
【００２１】
棚板挟持部２２は、下面横板２２ａと上面横板２２ｂとの間の間隔が縁部ＢＥの厚みに対応するように形成されている。一実施形態においては、間隔は縁部ＢＥの厚みと一致するように形成することができる。このように形成することによって、棚板挟持部２２は、棚板Ｂに取り付けられたときに縁部ＢＥを挟み、棚板ハンガー１を安定させることができる。
【００２２】
別の実施形態において、棚板挟持部２２は、下面横板２２ａと上面横板２２ｂとの間の間隔を開いたときに閉じる方向への復元力を発揮しつつ変形可能な、プラスチックなどの可撓性材料で形成されることが好ましく、下面横板２２ａと上面横板２２ｂとの間の間隔は、略コの字形状の開放部側に向かって次第に狭くなるように形成されていることが好ましい。この場合、開放部側の間隔が棚板Ｂの縁部ＢＥの厚みより若干狭くなるように形成され、縦板２２ｃ側の間隔が縁部ＢＥの厚みと同程度になるように形成されることがより好ましい。このように形成されることによって、棚板挟持部２２を縁部ＢＥに取り付けるときに下面横板２２ａと上面横板２２ｂとの間を開き、縁部ＢＥが下面横板２２ａと上面横板２２ｂとの間に完全に挿入されたときに縁部ＢＥをしっかり挟みこむため、棚板ハンガー１をより安定させることができる。
【００２３】
上面横板２２ｂは、下面横板２２ａより長く形成されていることが好ましい。すなわち、棚板挟持部２２の開放部側において、上面横板２２ｂの端部が下面横板２２ａの端部より突出するように形成されることが好ましい。このように上面横板２２ｂが長く形成されていることによって、棚板挟持部２２を縁部ＢＥに取り付けるときに、最初に上面横板２２ｂの突出部分の下面を縁部ＢＥの上面に当て、棚板ハンガー１に対して下方に押し付ける力を加えつつ棚板Ｂの奥方向に押し込むことにより、棚板挟持部２２の間隔が縁部ＢＥより狭くてもコの字の内部空間に縁部ＢＥを容易に挿入することができる。
【００２４】
縦板２２ｃは、図２に示されるように、棚板挟持部２２の内部空間とは反対側に位置する面に、外方に突出するようにリブ２２ｄを設けることが好ましい。リブ２２ｄは、縦板２２ｃの幅方向中央部付近に、縦板２２ｃの上下方向全体にわたって延びるように設けられることが好ましい。リブ２２ｄの外縁部分は、丸みを帯びた形状に形成されることが好ましいが、これに限定されるものではなく、リブ２２ｄの角部に面取りを施した形状でもよい。
【００２５】
リブ２２ｄを設けることにより、衣類を掛けたときの下面横板２２ａへの荷重によって下面横板２２ａと上面横板２２ｂとの間を開こうとする負荷がかかったときに、縦板２２ｃの過度な変形や破損を防止することができる。また、リブ２２ｄを設けることにより、棚板挟持部２２が可撓性材料で形成されている場合に、棚板Ｂへの取り付け時に下面横板２２ａと上面横板２２ｂとの間が開かれるときに縦板２２ｃにかかる負荷による過度な変形や破損を防止することもできる。さらに、リブ２２ｄは、棚板挟持部２２の持ち手としても機能し、棚板ハンガー１の棚板Ｂへの取り付け及び取り外しが容易になる。さらに、必要に応じてリブ２２ｄにラベルを付することによって、棚板ハンガー１に衣類が掛けられた状態でもその衣類の種類やタグなどを容易に把握することができる。リブ２２ｄの厚み、上下方向長さ及び突出長さは、縦板２２ｃの過度な変形や破損を防止することができ、棚板ハンガーの機能を損なうものではない限り、特に限定されるものではない。
【００２６】
上面横板２２ｂは、棚板挟持部２２の開放部側に向かってテーパーが設けられ、最も開放部側に位置する端部が薄く形成されていることが好ましい。このように形成されることによって、棚板Ｂの上に、例えば段ボールや収納ボックスなどが置かれているときでも、棚板挟持部２２をこれらの段ボールや収納ボックスと棚板Ｂとの間に差し込みやすくなる。
【符号の説明】
【００２７】
１  棚板ハンガー
１０  衣類掛け部
１１  肩
１２  ズボン軸
１３  肩ひも掛け
１４  補強部
２０  支持部
２１  シャフト
２２  棚板挟持部
２２ａ  下面横板
２２ｂ  上面横板
２２ｃ  縦板
２２ｄ  リブ
棚板  Ｂ
棚板の縁部  ＢＥ
【図１】
0003234573.tif 000003
【図２】
0003234573.tif 000004
【図３】
0003234573.tif 000005